(57)【要約】【課題】  ロールアップディスプレイにおいて、表示画像が引き出された部分に収まるようにする。【解決手段】    画像表示制御装置が、回転ドラムの回転角に基づいて、回転ドラム２に巻き付けられたロールアップディスプレイの画像表示面の引き出し長さを特定し（ステップ１２０）、特定した引き出し長さに収まるように画像表示範囲の大きさを算出し（ステップ１３０）、算出した画像表示範囲の大きさで、画像を前記画像表示面の引き出し部分に表示させる（ステップ１５０）。【選択図】        図２ 
2005321702.tif 000002
【特許請求の範囲】
【請求項１】
軸の周りを回転する回転体と、
前記回転体に画像表示面が巻き付けられた画像表示装置と、
前記回転体の回転角を検出する検出手段と、
前記検出手段の検出した回転角に基づいて、前記画像表示面の引き出し長さを特定する特定手段と、
前記特定手段が特定した引き出し長さに基づいて画像表示範囲の大きさを算出する算出手段と、
前記算出手段が算出した画像表示範囲の大きさで、画像を前記画像表示面の引き出し部分に表示させる表示制御手段と、を備えた画像表示制御装置。
【請求項２】
前記算出手段は、画像表示範囲の大きさを、前記特定手段が特定した引き出し長さに比例する大きさとして算出することを特徴とする請求項１に記載の画像表示制御装置。
【請求項３】
前記表示制御手段は、前記算出手段が算出した画像表示範囲の大きさと同じになるよう表示画像の縮尺を当該表示画像内で一律に変更し、変更した縮尺の画像を前記画像表示面の引き出し部分に表示させることを特徴とする請求項１または２に記載の画像表示制御装置。
【請求項４】
前記特定手段は、回転角と引き出し長さとの対応表に基づいて、前記検出手段の検出した回転角から前記画像表示面の引き出し長さを特定することを特徴とする請求項１ないし３のいずれか１つに記載の画像表示制御装置。
【請求項５】
画像表示面が筒状に丸められた画像表示装置と、
前記画像表示面の丸められた状態から引き出された部分の長さを特定する特定手段と、
前記特定手段が特定した引き出し長さに基づいて画像表示範囲の大きさを算出する算出手段と、
前記算出手段が算出した画像表示範囲の大きさで、画像を前記画像表示面の引き出し部分に表示させる表示制御手段と、を備えた画像表示制御装置。
【発明の詳細な説明】
【技術分野】
【０００１】
本発明は、ロールアップディスプレイへの画像表示制御に関する。
【背景技術】
【０００２】
従来、自由に曲げることが可能な画像表示面を有する画像表示装置であるフレキシブルディスプレイが開発されている。
【０００３】
このような画像表示装置を、非使用時には筒状に丸めて軸状の物に巻き付けておき、使用時にはその丸めを延ばして引き出すような使用法が考えられている。このように、筒状に丸められ、使用時には引き出されるような表示装置を、ロールアップディスプレイという。
【発明の開示】
【発明が解決しようとする課題】
【０００４】
このようなロールアップディスプレイのほぼ全体に画像表示を行わせる場合、ロールアップディスプレイのほぼ全ての部分を引き出さない限り、画像の全体を見ることができないという問題がある。
【０００５】
例えば、車両内の天井内部にテレビ画面表示のためのロールアップディスプレイが収納され、使用時にこのロールアップディスプレイがゆっくり引き出されるようになっている場合、全体を引き出し終わるまでテレビ映像の一部しか見えないので、画面全体を早く見たいユーザにとっては利便性が良くない。
【０００６】
本発明は上記点に鑑み、ロールアップディスプレイにおいて、表示画像が引き出された部分に収まるようにすることを目的とする。
【課題を解決するための手段】
【０００７】
上記目的を達成するための請求項１に記載の発明は、軸の周りを回転する回転体と、前記回転体に画像表示面が巻き付けられた画像表示装置と、前記回転体の回転角を検出する検出手段と、前記検出手段の検出した回転角に基づいて、前記画像表示面の引き出し長さを特定する特定手段と、前記特定手段が特定した引き出し長さに基づいて画像表示範囲の大きさを算出する算出手段と、前記算出手段が算出した画像表示範囲の大きさで、画像を前記画像表示面の引き出し部分に表示させる表示制御手段と、を備えた画像表示制御装置である。
【０００８】
このようになっているので、画像表示制御装置は、軸の周りを回転する回転体の回転角の検出に基づいて、回転体に巻き付けられた画像表示面の引き出し長さを特定し、特定した引き出し長さに基づいて画像表示範囲の大きさを算出し、算出した画像表示範囲の大きさで、画像を前記画像表示面の引き出し部分に表示させるので、表示画像が引き出された部分に収まるようになる。したがって、ユーザは表示画面の引き出し長さに関わらず、表示画像全体を見ることができる。
【０００９】
また、請求項２に記載の発明は、請求項１に記載の画像表示制御装置において、前記算出手段は、画像表示範囲の大きさを、前記特定手段が特定した引き出し長さに比例する大きさとして算出することを特徴とする。
【００１０】
このようになっているので、引き出し長さが長くなることに比例して画像表示範囲の大きさが大きくなるので、引き出し部分を有効に使った画像表示が実現される。
【００１１】
また、請求項３に記載の発明は、請求項１または２に記載の画像表示制御装置において、前記表示制御手段は、前記算出手段が算出した画像表示範囲の大きさと同じになるよう表示画像の縮尺を当該表示画像内で一律に変更し、変更した縮尺の画像を前記画像表示面の引き出し部分に表示させることを特徴とする。
【００１２】
このように、表示画像の縮尺を当該表示画像内で一律に変更することで、表示画像を画像表示範囲の大きさと同じになるようにしているので、表示画像の大きさが変更されても画像の歪みが少ない。
【００１３】
また、請求項４に記載の発明は、請求項１ないし３のいずれか１つに記載の画像表示制御装置において、前記特定手段は、回転角と引き出し長さとの対応表に基づいて、前記検出手段の検出した回転角から前記画像表示面の引き出し長さを特定することを特徴とする。
【００１４】
このようになっていれば、対応表によって回転角と引き出し長さとの対応を細かく設定することができるので、引き出し長さをより正確に特定することが可能となる。
【００１５】
また、請求項５に記載の発明は、画像表示面が筒状に丸められた画像表示装置と、前記画像表示面の丸められた状態から引き出された部分の長さを特定する特定手段と、前記特定手段が特定した引き出し長さに基づいて画像表示範囲の大きさを算出する算出手段と、前記算出手段が算出した画像表示範囲の大きさで、画像を前記画像表示面の引き出し部分に表示させる表示制御手段と、を備えた画像表示制御装置である。
【００１６】
このようになっているので、画像表示制御装置は、筒状に丸められた画像表示面の丸められた状態から引き出された部分の長さを特定し、特定した引き出し長さに基づいて画像表示範囲の大きさを算出し、算出した画像表示範囲の大きさで、画像を前記画像表示面の引き出し部分に表示させるので、表示画像が引き出された部分に収まるようになる。したがって、ユーザは表示画面の引き出し長さに関わらず、表示画像全体を見ることができる。
【発明を実施するための最良の形態】
【００１７】
以下、本発明の一実施形態について説明する。図１に、本実施形態に係る画像表示制御装置１のハードウェア構成をブロック図として示す。この画像表示制御装置１は、車両に搭載されるものである。
【００１８】
画像表示制御装置１は、テレビチューナ１１、アンテナ１２、ＲＡＭ１３、ＲＯＭ１４、入力装置１５、ロールアップディスプレイ１６、モータ１７、ロータリーエンコーダ１８およびＣＰＵ１９を備えている。
【００１９】
テレビチューナ（図中ではＴＶチューナと記載）１１は、アンテナ１２からテレビ放送用信号を受信し、特定のチャネルの放送映像の信号をＣＰＵ１９に出力する。
【００２０】
ＲＡＭ１３は揮発性の書き換え可能な記憶媒体であり、ＲＯＭ１４は不揮発性の記憶媒体である。
【００２１】
入力装置１５は、操作ボタン等の入力デバイスから成り、これら入力デバイスに対するユーザの操作に基づく信号をＣＰＵ１９に出力する。この入力装置１５は、車両の後部座席から操作可能な位置に設けられている。
【００２２】
ロールアップディスプレイ１６は、フレキシブルディスプレイ等の、折り曲げたり変形したりすることができる画像表示面を有する画像表示装置である。このロールアップディスプレイ１６の外観を図２に斜視図で示す。
【００２３】
ロールアップディスプレイ１６は、回転ドラム２にその画像表示面が巻き付けられ、筒状に丸められるようになっている。回転ドラム２は、車両の前部座席と後部座席の間の天井部分に設けられている。ロールアップディスプレイ１６の不使用時には、ロールアップディスプレイ１６の画像表示面の全てが回転ドラム２に巻き付いた状態となっている。
【００２４】
この回転ドラム２は、モータ１７によって回転軸２１の周りを回転するようになっている。そして、この回転ドラム２の回転により、ロールアップディスプレイ１６の画像表示面の一部が引き出され、天井から下に引き出された画像表示面が垂れ下がる。図２においては、画像表示面のうち、長さＬ１分に相当する部分が引き出されている。
【００２５】
モータ１７は、回転ドラム２の回転軸２１付近に設けられ、ＣＰＵ１９からの制御信号に基づいて回転軸２１を中心に回転ドラム２を回転させる。
【００２６】
ロータリーエンコーダ１８は、回転ドラム２の回転軸２１付近に設けられ、回転ドラム２の回転角を検出する。具体的には、ロータリーエンコーダ１８は回転ドラム２が所定の角度（例えば１°）正回転または逆回転する度に、ＣＰＵ１９にその正回転または逆回転に応じた信号を出力する。
【００２７】
ＣＰＵ１９は、ＲＯＭ１４にあらかじめ記憶されたプログラムを実行し、そのプログラムの実行において、テレビチューナ１１、入力装置１５、ロータリーエンコーダ１８からの信号に基づいて、ロールアップディスプレイ１６、モータ１７を制御する。またそのプログラムの実行において、必要に応じてＲＡＭ１３、ＲＯＭ１４に対してデータの読み書きの制御を行う。
【００２８】
例えば、ＣＰＵ１９は、ユーザの入力装置１５の操作によって画像表示制御装置１が起動すると、ＲＯＭ１４から所定のプログラムを読み出して実行することで、モータ１７を制御して、ロールアップディスプレイ１６の画像表示面のほぼ全体を引き出すようにする。引き出しが開始してから完了するまでの時間は、例えば３０秒程度である。
【００２９】
また、ＣＰＵ１９は、入力装置１５に対して電源オフの操作が行われたことを検出すると、ＲＯＭ１４から所定のプログラムを読み出して実行することで、モータ１７を制御してロールアップディスプレイ１６を回転ドラム２に完全に巻き上げ、その後に作動を停止する。
【００３０】
またＣＰＵ１９は、画像表示制御装置１の作動中、表示制御用プログラムを繰り返し実行する。図３に、この画像表示制御用プログラムのフローチャートを示す。
【００３１】
まず、ステップ１１０では、回転ドラム２の回転角を検出する。具体的には、ロータリーエンコーダ１８からの信号に基づいて、回転ドラム２が正方向（表示面引き出し方向）に何度回転しているかを検出する。例えば、回転ドラム２が１°正回転する度にロールアップディスプレイ１６から信号Ａを受け、回転ドラム２が１°逆回転する度にロールアップディスプレイ１６から信号Ｂを受ける場合、画像表示制御装置１の直近の作動開始以降の［Ａ信号を受けた回数］−［Ｂ信号を受けた回数］が回転角度となる。
【００３２】
次にステップ１２０で、ステップ１１０で検出した回転角に基づいて、ロールアップディスプレイ１６の画像表示面の引き出された長さを特定する。
【００３３】
具体的には、ＲＯＭ１４にあらかじめ記憶された回転角と引き出し長さとの対応表を読み出し、この対応表に基づいて、当該回転角から引き出し長さを特定する。
【００３４】
対応表は、実験等によって回転ドラム２の回転角とロールアップディスプレイ１６の表示面の引き出し長さとの対応をあらかじめ確認し、その確認の結果得た、回転角と引き出し長さとの１対１関係の離散的データである。ステップ１２０では、この対応表を用いて補間することにより、現時点の回転角から現時点の引き出し長さを計算する。
【００３５】
他の方法としては、例えば回転角度に回転ドラム２の直径×円周率を乗算して引き出し長さを特定する方法を採用してもよい。
【００３６】
なお、対応表は、回転角と引き出し長さとの対応を示すものでなくともよく、例えば、
［正回転を示す信号を受けた回数］−［逆回転を示す信号を受けた回数］と引き出し長さとの対応を示すものであってもよい。
【００３７】
次にステップ１３０で、画面サイズの最適化計算を行う。すなわち、ステップ１２０で特定した引き出し長さに比例した画像表示範囲の長さを算出する。
【００３８】
具体的には、完全な状態、すなわち引き出しが完了したときの画像表示面の引き出し長さをＬ０とし、ステップ１２０で特定した現時点の引き出し長さの値をＬ１とすると、Ｌ１とＬ０の比Ｌ１／Ｌ０を算出する。そして、ロールアップディスプレイ１６の画像表示面全体の縦方向（引き出し方向）の画素数および横方向（引き出し方向に垂直な方向）の画素数のそれぞれにこの比を乗算し、その結果の値をそれぞれ画面表示範囲の縦の画素数および横の画素数とする。
【００３９】
なお、この表示範囲の表示位置が画像表示面の引き出し部分となるよう、画面表示範囲の位置は、表示画像の左下端がロールアップディスプレイ１６の画像表示面のユーザから（所定のわずかなマージンを残して）向かって左下端に配されるように計算する。
【００４０】
このような計算により、ロールアップディスプレイ１６の画像表示面のどの位置で表示が行われるかが決まる。
【００４１】
次にステップ１５０で、画像処理を行う。具体的には、テレビチューナ１１から受けた映像が、ステップ１４０で算出した画像表示範囲に収まるように縮小（または拡大）変換を行う。
【００４２】
この変換は、表示画像がステップ１３０で算出した画像表示範囲の大きさと同じになるよう、表示画像の縮尺を当該表示画像内で一律に変更することで行う。例えば、テレビチューナ１１から受けた映像の画素数が縦７２０×横４００であり、画像表示範囲の画素数が縦３６０×横２００である場合、当該映像のすべての部分を一律に縦横の縮尺１／２で変換する。このように、表示画像の縮尺を当該表示画像内で一律に変更することにより、表示画像の大きさが変更されても画像の歪みが少なく済む。
【００４３】
なお、縮小変換におけるデータの間引き、拡大変換におけるデータの補完等は、画面表示がスムースになるよう、色や輝度の補間等を行うことによって実現する。
【００４４】
続いてステップ１５０で、ロールアップディスプレイ１６を制御し、ステップ１４０で変換された画像を、ステップ１３０で算出されたロールアップディスプレイ１６の画面表示範囲に表示させる。
【００４５】
以上のようなＣＰＵ１９の作動により、画像表示制御装置１は、検出した回転ドラム２の回転角に基づいて、回転ドラム２に巻き付けられた画像表示面の引き出し長さを特定し（ステップ１２０）、特定した引き出し長さに収まるように画像表示範囲の大きさを算出し（ステップ１３０）、算出した画像表示範囲の大きさで、すなわち引き出し長さに応じて画像を縮小・拡大することにより、前記画像表示面の引き出し部分に表示させる（ステップ１５０）ので、表示画像が引き出された部分に収まるようになる。
【００４６】
このような画像表示制御装置１の作動により、画像表示面の引き出し長さがＬ１である図２においては、テレビチューナ１１からの入力映像がＬ１／Ｌ０に縦横が縮小された結果の表示画像３１が表示される。
【００４７】
また、図４のように、画像表示面の引き出し長さがＬ１より大きいＬ２である場合においては、テレビチューナ１１からの入力映像がＬ２／Ｌ０に縦横が縮小された結果の表示画像３１が表示される。
【００４８】
なお、上記した実施形態においては、回転ドラム２が回転体に相当する。
【００４９】
また、ロールアップディスプレイ１６が画像表示装置に相当する。
【００５０】
また、ＣＰＵ１９が図３のステップ１１０を実行することにより、検出手段として機能する。
【００５１】
また、ＣＰＵ１９が図３のステップ１２０を実行することにより、特定手段として機能する。
【００５２】
また、ＣＰＵ１９が図３のステップ１３０を実行することにより、算出手段として機能する。
【００５３】
また、ＣＰＵ１９が図３のステップ１４０およびステップ１５０を実行することにより、表示制御手段として機能する。
【００５４】
なお、上記した実施形態では、回転ドアラム２の回転角をロータリーエンコーダ１８によって検出しているが、モータ１７をステッピングモータとし、ＣＰＵ１９からのモータ制御パルスの送信回数にも基づいて回転ドラム２の回転角を算出するようになっていてもよい。
【００５５】
また、上記した実施形態では、ロールアップディスプレイ１６の画像表示面は回転ドラム２に巻き付いているが、ロールアップディスプレイ１６の画像表示面は必ずしも何かに巻き付いている必要はない。例えば、ロールアップディスプレイ１６の画像表示面の左右の端に、他の力を加えないと丸まるような形状のワイヤを取り付けることで、画像表示面が筒状に丸められていてもよい。
【００５６】
この場合、例えば、画像表示面の側端に、引き出し方向に沿って等間隔で穴等が設けられ、その穴を検出するセンサが当該側端に設けられ、そのセンサが検出した穴の数に基づいて、画像表示面の引き出し長さが検出されるようになっていてもよい。
【００５７】
また、上記した実施形態においては、回転ドラム２の回転によってロールアップディスプレイ１６の引き出し長さを算出しているが、必ずしもこのようになっておらずともよい。例えば、表示画面を挟み込むようにして、巻き取りや引き出しの際のたるみやゆがみを防止するガイドの役割をする円形のローラーをロールアップディスプレイ１６の引き出し部分に設け、そのローラーの回転角をロータリーエンコーダ等によって検出し、その検出した回転角に基づいてロールアップディスプレイ１６の引き出し長さを検出してもよい。      
【００５８】
また、上記した実施形態では、ロールアップディスプレイ１６の画像表示面はモータ１７で引き出し、巻き取りが行われているが、引き出し、巻き取りは人の手作業で行うようになっていてもよい。
【００５９】
また、上記した実施形態において、ユーザが入力装置１５を操作して引き出し長さを指定することで、ＣＰＵ１９は、モータ１７を制御し、引き出し長さをその指定の長さに調整するようになっていてもよい。このとき、表示制御用プログラムは、当該調整の結果回転した回転ドラムによる引き出し長さに収まるように、画像表示範囲の大きさを算出するようになっていてもよい。
【００６０】
また、上記した実施形態においては、フレキシブルディスプレイ１６は、テレビ映像を表示するようになっているが、例えばカーナビゲーション装置が特定した目的地までの案内経路や地図を表示するようになっていてもよい。
【００６１】
また、上記した実施形態においては、画像の表示位置が画像表示面の引き出し部分の左下端に（所定のマージンを残して）詰められるようになっているが、詰める方向は、中央下端、右下端であってもよい。
【図面の簡単な説明】
【００６２】
【図１】画像表示制御装置１のハードウェア構成を示すブロック図である。
【図２】ロールアップディスプレイ１６の外観を示す斜視図である。
【図３】画像表示制御装置１のＣＰＵ１９が実行する表示制御用プログラムのフローチャートである。
【図４】ロールアップディスプレイ１６の外観を示す斜視図である。
【符号の説明】
【００６３】
１…画像表示制御装置、２…回転ドラム、１１…テレビチューナ、１２…アンテナ、
１３…ＲＡＭ、１４…ＲＯＭ、１５…入力装置、１６…ロールアップディスプレイ、
１７…モータ、１８…ロータリーエンコーダ、１９…ＣＰＵ、２１…回転軸、
３１、３２…表示画像。
【図１】
2005321702.tif 000003
【図２】
2005321702.tif 000004
【図３】
2005321702.tif 000005
【図４】
2005321702.tif 000006